(57)【要約】      （修正有）【課題】異なる波長光を検出する光検出器を接続配置するための機構構造を簡素で小型化する。【解決手段】光分割器を、第１、第２の平板３ａ、３ｂで構成し、第１、第２の平板の表面には、反射率が透過率よりも大なる薄膜を蒸着して第１、第２の波長光の反射面とし、第１の平板の裏面には、第１の波長光に対して十分大きな透過率を有するとともに、第２の波長光に対しては十分大きな反射率を有する薄膜を蒸着して第２の波長光の反射面とし、第２の平板の裏面には、第２の波長光に対する大きな透過率と、第１の波長光に対する大きな反射率を有する薄膜を蒸着して第１の波長光の反射面とし、第１の平板３ａを透過し、第２の平板の裏面で反射される第１の波長光を検出する第１の光検出素子７１と、第２の平板の表面と裏面を透過し、第１の平板の裏面で反射される第２の波長光を検出する第２の光検出素子７２とを、近接させた光ピックアップの光出力検出装置。【選択図】        図１
2007115365.tif 000002
【特許請求の範囲】
【請求項１】
第１の波長光を出射する第１の光源と、前記第１の波長とは異なる第２の波長光を出射する第２の光源と、対物レンズと、前記第１の光源および前記第２の光源の何れかより出射された光を、選択的に光情報記録媒体に集光させる光分割器とから構成された光ピックアップの光出力検出装置であって、
前記光分割器を、第１、第２の平板で構成し、
前記第１の平板の表面には、反射率が透過率よりも大なる薄膜を蒸着して前記第１の波長光の反射面とし、前記第１の平板の裏面には、前記第１の波長光に対して十分大きな透過率を有するとともに、前記第２の波長光に対しては十分大きな反射率を有する薄膜を蒸着して前記第２の波長光の反射面とし、
前記第２の平板の表面には、反射率が透過率よりも大なる薄膜を蒸着して前記第２の波長光の反射面とし、前記第２の平板の裏面には、前記第２の波長光に対して十分大きな透過率を有するとともに、前記第１の波長光に対しては十分大きな反射率を有する薄膜を蒸着して前記第１の波長光の反射面とし、
前記第１の平板の表面と裏面を透過し、前記第２の平板の裏面で反射され、前記光情報記録媒体と異なる向きに進行する前記第１の波長光を検出する第１の光検出素子と、
前記第２の平板の表面と裏面を透過し、前記第１の平板の裏面で反射され、前記光情報記録媒体と異なる向きに進行する前記第２の波長光を検出する第２の光検出素子とを、
近接させたことを特徴とする光ピックアップの光出力検出装置。
【請求項２】
前記第１の平板では、前記光情報記録媒体の面と略平行に進む前記第１の波長光を前記光情報記録媒体の記録面に向けて略垂直に立ち上げ、
前記第２の平板では、前記第１の波長光と逆向きに進む前記第２の波長光を前記光情報記録媒体の記録面に向けて略垂直に立ち上げ、
前記第１の光検出素子および前記第２の光検出素子を、前記光情報記録媒体と対向する位置に配置し、前記第１の平板の表面と裏面を透過して前記第２の平板の裏面で反射される前記第１の波長光を、前記第１の光検出素子に導き、
前記第２の平板の表面と裏面を透過して前記第１の平板の裏面で反射される前記第２の波長光を、前記第２の光検出素子に導くことを特徴とする請求項１に記載の光ピックアップの光出力検出装置。
【請求項３】
前記第１の光検出素子と前記第２の光検出素子を同一保持部材に配置すると共に、同一パッケージ内に収納固定されて一体的に設けられたことを特徴とする請求項１に記載の光ピックアップの光出力検出装置。
【発明の詳細な説明】
【技術分野】
【０００１】
本発明は、第１の波長光を出射する第１の光源と、前記第１の波長とは異なる第２の波長光を出射する第２の光源と、対物レンズと、前記第１の光源および前記第２の光源の何れかより出射された光を、選択的に光情報記録媒体に集光させる光分割器とから構成された光ピックアップの光出力検出装置に関する。
【背景技術】
【０００２】
光ディスクを媒体とする光ディスクドライブ装置では、レーザー光を光ディスクの情報記録面に照射し、その反射光を光電変換して得られた信号を用いてスポットの位置制御を行うことによって、情報の記録再生を行っている。光ディスクドライブ装置による情報の記録再生は、８９０ｎｍを波長分布の略中心とする赤外レーザー光や６６０ｎｍを波長分布の略中心とする赤色レーザー光を用いているが、近年、４０５ｎｍを波長分布の略中心とする青紫色レーザー光を用いた次世代大容量光ディスクに対する記録再生技術の開発が行われている。
従って、光ディスクドライブ装置は、赤色光と青紫光に対応する２波長互換記録再生、または、赤外光と赤色光と青紫光に対応する３波長互換記録再生への要求が高まっている。
図２に次世代大容量光ディスク対応する光ヘッド装置の光学系構成を示す。
図２の装置では、青紫色光用対物レンズ１ａと、赤色光用または赤色光と赤外光兼用の対物レンズ１ｂが可動な対物レンズ保持部材１１に取り付けられている。青紫色レーザー５ａ、赤色レーザー５ｂ、および赤外レーザー５ｃを光源とする光束は、それぞれ対応するビームスプリッタ８ａ、８ｂ、８ｃで反射され、さらにそれぞれ対応するコリメーティングレンズ４ａ、４ｂを通過し、立上げミラー３で反射され、対応する青紫色レーザー用λ／４板１２ａおよび赤色レーザー用５λ／４板１２ｂを通過して、それぞれ対物レンズ１ａおよび１ｂに導かれ、ディスク２の情報記録面で光スポットを生成する。一方、ディスク２からの反射光束は、対応する対物レンズ１ａまたは１ｂ、及び青紫色レーザー用λ／４板１２ａおよび赤色レーザー用５λ／４板１２ｂを通過した後、立上げミラー３で反射され、それぞれ対応するコリメーティングレンズ４ａ、４ｂとビームスプリッタ８ａ、８ｂ、８ｃを通過し、それぞれ対応する信号生成用光検出器６ａ、６ｂに導かれる。ここで、青紫色レーザー５ａ、赤色レーザー５ｂ、および赤外レーザー５ｃから出射された光束の一部は、それぞれ対応するビームスプリッタ８ａ、８ｂ、８ｃを通過し、それぞれ対応する光検出器７ａ、７ｂ、７ｃに導かれる。なお、青紫色レーザー５ａに対応する青紫色レーザー用検出回折格子９ａはビームスプリッタ８ａと信号生成用光検出器６ａとの間に、赤色レーザー５ｂに対応する赤色レーザー用回折格子９ｂは赤色レーザー５ｂとビームスプリッタ８ｂとの間に、赤外レーザー５ｃに対応する赤外レーザー用回折格子９ｃは赤外レーザー５ｃとビームスプリッタ８ｃとの間に、それぞれ配置されている。また、赤外レーザー５ｃと赤外レーザー用回折格子９ｃとの間には、赤外レーザー用倍率補正レンズ１０ｃが配置されている。青紫色レーザー５ａ、赤色レーザー５ｂ、および赤外レーザー５ｃから出射される光束の光出力は、光検出器７ａ、７ｂ、７ｃの出力電圧を指標として制御され、ディスク２の情報記録面に生成される記録用または再生用の光スポットの光出力を最適な値に保っている。
この装置では、青紫光用対物レンズ１ａと、赤色光用または赤色光と赤外光兼用の対物レンズ１ｂが同一の保持部材１１に取り付けられた２レンズ構成になっている。それぞれの光源からの光束は、対物レンズ保持部材１１の下方に固定された立上げミラー３によって、対応する対物レンズ１ａ、１ｂに導かれ、逆に、ディスク２からの反射光束は、立上げミラー３でそれぞれの信号生成用光検出器６ａ、６ｂに導かれる構成になっている。
このような光学系装置では、光源からの出射光出力を検出し、その出力に応じてレーザー光源の出射光出力を制御し、それぞれの対物レンズ１ａ、１ｂ、１ｃによってディスク２の情報記録面に生成された光スポットの光出力を、記録または再生に最適な値に保つための光検出器が、青紫光、赤色光、赤外光についてそれぞれ配置されている。
なお、図３に示すように、赤色レーザー５ｂと赤外レーザー５ｃから出射される光束のパワーを共通の光検出器７ｄで検出する装置もある。
【発明の開示】
【発明が解決しようとする課題】
【０００３】
しかしながらこのような従来の構成では、青紫色レーザー５ａ、赤色レーザー５ｂ、および赤外レーザー５ｃから出射される光束の光出力を検出するために、光検出器７ａ、７ｂ、７ｃがそれぞれ個々に必要である。また、同装置では、光検出器７ａ、７ｂ、７ｃを光ヘッド装置内の異なる場所に接続配置するためのフレキシブル基板の形状が複雑になり、装置の構造の簡素化、小型化が困難であり、材料費と組立費に関してコストが割高になる。
また、図２のように赤色レーザー５ｂと赤外レーザー５ｃから出射される光束のパワーを共通の光検出器７ｄで検出する構成についても、青紫光用の光検出器７ａとは別の場所に配置する必要がある。
【０００４】
そこで本発明は、異なる波長光を検出する光検出器を接続配置するための、フレキシブル基板の形状と機構構造を簡素で小型化することを目的とする。
【課題を解決するための手段】
【０００５】
請求項１記載の本発明の光ピックアップの光出力検出装置は、第１の波長光を出射する第１の光源と、前記第１の波長とは異なる第２の波長光を出射する第２の光源と、対物レンズと、前記第１の光源および前記第２の光源の何れかより出射された光を、選択的に光情報記録媒体に集光させる光分割器とから構成された光ピックアップの光出力検出装置であって、前記光分割器を、第１、第２の平板で構成し、前記第１の平板の表面には、反射率が透過率よりも大なる薄膜を蒸着して前記第１の波長光の反射面とし、前記第１の平板の裏面には、前記第１の波長光に対して十分大きな透過率を有するとともに、前記第２の波長光に対しては十分大きな反射率を有する薄膜を蒸着して前記第２の波長光の反射面とし、前記第２の平板の表面には、反射率が透過率よりも大なる薄膜を蒸着して前記第２の波長光の反射面とし、前記第２の平板の裏面には、前記第２の波長光に対して十分大きな透過率を有するとともに、前記第１の波長光に対しては十分大きな反射率を有する薄膜を蒸着して前記第１の波長光の反射面とし、前記第１の平板の表面と裏面を透過し、前記第２の平板の裏面で反射され、前記光情報記録媒体と異なる向きに進行する前記第１の波長光を検出する第１の光検出素子と、前記第２の平板の表面と裏面を透過し、前記第１の平板の裏面で反射され、前記光情報記録媒体と異なる向きに進行する前記第２の波長光を検出する第２の光検出素子とを、近接させたことを特徴とする。
請求項２記載の本発明は、請求項１に記載の光ピックアップの光出力検出装置において、前記第１の平板では、前記光情報記録媒体の面と略平行に進む前記第１の波長光を前記光情報記録媒体の記録面に向けて略垂直に立ち上げ、前記第２の平板では、前記第１の波長光と逆向きに進む前記第２の波長光を前記光情報記録媒体の記録面に向けて略垂直に立ち上げ、前記第１の光検出素子および前記第２の光検出素子を、前記光情報記録媒体と対向する位置に配置し、前記第１の平板の表面と裏面を透過して前記第２の平板の裏面で反射される前記第１の波長光を、前記第１の光検出素子に導き、前記第２の平板の表面と裏面を透過して前記第１の平板の裏面で反射される前記第２の波長光を、前記第２の光検出素子に導くことを特徴とする。
請求項３記載の本発明は、請求項１に記載の光ピックアップの光出力検出装置において、前記第１の光検出素子と前記第２の光検出素子を同一保持部材に配置すると共に、同一パッケージ内に収納固定されて一体的に設けられたことを特徴とする。
【発明の効果】
【０００６】
本発明によれば、青紫色レーザーからの光束、赤色レーザーまたは赤外レーザーからの光束の光出力を検出する光検出器を共通の保持部材に収納することによって、光検出器を接続配置するためのフレキシブル基板の形状と機構構造を簡素で小型化できる。
【発明を実施するための最良の形態】
【０００７】
本発明に係る光ピックアップの光出力検出装置は、光分割器を、第１、第２の平板で構成し、第１の平板の表面には、反射率が透過率よりも大なる薄膜を蒸着して第１の波長光の反射面とし、第１の平板の裏面には、第１の波長光に対して十分大きな透過率を有するとともに、第２の波長光に対しては十分大きな反射率を有する薄膜を蒸着して第２の波長光の反射面とし、第２の平板の表面には、反射率が透過率よりも大なる薄膜を蒸着して第２の波長光の反射面とし、第２の平板の裏面には、第２の波長光に対して十分大きな透過率を有するとともに、第１の波長光に対しては十分大きな反射率を有する薄膜を蒸着して第１の波長光の反射面とし、第１の平板の表面と裏面を透過し、第２の平板の裏面で反射され、光情報記録媒体と異なる向きに進行する第１の波長光を検出する第１の光検出素子と、第２の平板の表面と裏面を透過し、第１の平板の裏面で反射され、光情報記録媒体と異なる向きに進行する第２の波長光を検出する第２の光検出素子とを近接させたものである。本実施の形態によれば、第１、第２の光束に対する反射率または透過率の設定によって、第１、第２の対物レンズを介してディスク面に照射され記録再生に用いられる光量と、第１、第２の光検出器に導かれて光出力検出に用いられる光量の相対比率を規定し、光ディスク装置の安定な記録再生動作を実現することができる。また、青紫光と赤色光、または、青紫光と赤色光および赤外光の光源からの出射光束の光出力を、検出する光検出器を共通の保持部材に収めることが可能となり、光検出器を接続配置するためのフレキシブル基板の形状が簡素化され、光ヘッド装置の構造の簡素化、小型化が可能となるため、材料費と組立工数に関するコスト削減効果が期待される。
【実施例】
【０００８】
以下図面を用いて本発明の一実施例による光ピックアップの光出力検出装置を説明する。図１は同装置の構成図である。同装置は、青紫色レーザーを光源に用いる光ディスクと、赤色レーザーと赤外レーザーをそれぞれ光源に用いる光ディスクに対する記録再生機能を有するものである。なお、従来の装置として説明した図２または図３と同一機能を有する構成には同一符号を付して説明の一部を省略する。
図１に示すように、本装置は、図２、図３において三角柱状形状を有する立上げミラー３を、２個の平行平板ミラー３ａ、３ｂに分割し、それぞれの表面をディスク２の情報記録面に対して立上げミラー３の２つの反射面と等しい角度で固定している。
そして、青紫色レーザー５ａから出射された光束の大半を平行平板ミラー３ａの表面で反射させることで、ディスク２に対して略垂直に立ち上げる。そして、平行平板ミラー３ａの表面と裏面を透過する光束を平行平板ミラー３ｂの裏面で反射させることでディスク２と異なる向きに導く。
一方、赤色レーザー５ｂまたは赤外レーザー５ｃから出射された光束の大半を平行平板ミラー３ｂの表面で反射させることで、ディスク２に対して略垂直に立ち上げる。そして、平行平板ミラー３ｂの表面と裏面を透過する光束を平行平板ミラー３ａの裏面で反射させることで、ディスク２と異なる向きに導く。
【０００９】
ここで、平行平板ミラー３ｂの裏面で反射させる光束、及び平行平板ミラー３ａの裏面で反射させる光束は、同一方向に導くが、ディスク２と逆の向きに導くことが好ましい。
このようにして平行平板ミラー３ａと平行平板ミラー３ｂをそれぞれ透過してディスク２と異なる向きに導かれた光束は、光検出器７１、７２に導かれる。青紫色レーザー５ａに対応する光検出器７１と赤色レーザー５ｂまたは赤外レーザー５ｃに対応する光検出器７２は、共通の保持部材７に収納されている。青紫色レーザー５ａ、赤色レーザー５ｂ、および赤外レーザー５ｃから出射される光束の光出力は、光検出器７１、７２の出力電圧を指標として制御され、ディスク２の情報記録面に生成される記録用または再生用の光スポットの光出力を最適な値に保っている。
ここで、平行平板ミラー３ａの表面には、青紫色レーザー５ａの波長に対する反射率が約９０％となる薄膜が蒸着され、裏面には青紫色レーザー５ａの波長に対する透過率が約９０％で赤色レーザー５ｂまたは赤外レーザー５ｃの波長に対する反射率が約９０％となる薄膜が蒸着されている。また、平行平板ミラー３ｂの表面には、赤色レーザー５ｂまたは赤外レーザー５ｃの波長に対する反射率が約９０％となる薄膜が蒸着され、裏面には赤色レーザー５ｂまたは赤外レーザー５ｃの波長に対する透過率が約９０％で青紫色レーザー５ａの波長に対する反射率が約９０％となる薄膜が蒸着されている。
【産業上の利用可能性】
【００１０】
本発明は、２種類以上の異なる波長光に対応した光ディスクドライブ装置に利用できる。
【図面の簡単な説明】
【００１１】
【図１】本発明の一実施の形態による光ヘッド装置の光学系構成を示す図
【図２】従来の光ヘッド装置の光学系構成の１例を示す図
【図３】従来の光ヘッド装置の光学系構成のもうひとつの例を示す図
【符号の説明】
【００１２】
１ａ  対物レンズ
１ｂ  対物レンズ
２    ディスク
３ａ  平行平板ミラー
３ｂ  平行平板ミラー
４ａ  コリメーティングレンズ
４ｂ  コリメーティングレンズ
５ａ  青紫色レーザー
５ｂ  赤色レーザー
５ｃ  赤外レーザー
６ａ  信号生成用光検出器
６ｂ  信号生成用光検出器
７    保持部材
８ａ  ビームスプリッタ
８ｂ  ビームスプリッタ
８ｃ  ビームスプリッタ
【図１】
2007115365.tif 000003
【図２】
2007115365.tif 000004
【図３】
2007115365.tif 000005